(57)【要約】【課題】マルチレートの音声符号化方式に対応していながら、録音音声の送信を行うことを可能とする。【解決手段】制御部１９は留守番応答用の応答メッセージの録音時には、ユーザが喋った応答メッセージを示した音声データを音声符号化器３により全ての符号化レートでそれぞれ音声符号化して得られる複数の圧縮音声データの全てを録音用メモリ１５に記憶する。制御部１９は留守番応答時には、録音用メモリ１５に記憶されている複数の圧縮音声データのうちで、通信網から指定される符号化レートのものを録音用メモリ１５からチャネル符号化器４へと出力させ、当該圧縮音声データを通信網へと送信する。【選択図】　　図１
2004120431.tif 000002
【特許請求の範囲】
【請求項１】
音声データを複数の符号化レートで圧縮符号化又は復号する機能を備え、基地局を介して音声通信を行う移動通信端末において、
圧縮音声データを記憶する記憶手段と、
音声データを複数の符号化レートでそれぞれ圧縮符号化することで複数の圧縮音声データに変換する符号化手段と、
前記符号化手段により得られる複数の圧縮音声データを前記記憶手段に記憶させる録音制御手段と、
前記記憶手段に記憶されていて送信対象となる音声に対応する複数の圧縮音声データのうち、基地局から指定される符号化レートで圧縮符号化されている圧縮音声データを前記基地局へと送信する送信手段とを具備した移動通信端末。
【請求項２】
音声データを複数の符号化レートで圧縮符号化又は復号する機能を備え、基地局を介して音声通信を行う移動通信端末において、
圧縮音声データを記憶する記憶手段と、
音声データを複数の符号化レートでそれぞれ圧縮符号化することで複数の圧縮音声データに変換する符号化手段と、
前記符号化手段により所定符号化レートで圧縮符号化して得られる圧縮音声データを前記記憶手段に記憶させる録音制御手段と、
前記圧縮音声データを前記音声データへと復号する復号手段と、
前記記憶手段に記憶されていて送信対象となる音声に対応する圧縮音声データの符号化レートと基地局から通知される符号化レートとが一致するか否かを判定する判定手段と、
この判定手段により両符号化レートの一致が判定された場合には前記記憶手段に記憶されていて送信対象となる音声に対応し、かつ前記基地局から通知される符号化レートで圧縮符号化されている圧縮音声データを前記基地局へと送信し、また前記判定手段により両符号化レートの不一致が判定された場合には前記記憶手段に記憶されていて送信対象となる音声に対応する圧縮音声データを前記復号手段により復号させ、さらにこれにより得られる音声データを前記基地局から指定される符号化レートで前記符号化手段に圧縮符号化させて得られる圧縮音声データを前記基地局へと送信する送信手段とを具備した移動通信端末。
【請求項３】
音声データを複数の符号化レートで圧縮符号化又は復号する機能を備え、基地局を介して音声通信を行う移動通信端末において、
圧縮音声データを記憶する記憶手段と、
音声データを複数の符号化レートでそれぞれ圧縮符号化することで複数の圧縮音声データに変換する符号化手段と、
前記圧縮音声データを前記音声データへと復号する復号手段と、
前記符号化手段により得られる複数の圧縮音声データを前記記憶手段に記憶させる第１録音制御手段と、
前記記憶手段に記憶されていて送信対象となる音声に対応する複数の圧縮音声データのうち、基地局から指定される符号化レートで圧縮符号化されている圧縮音声データを前記基地局へと送信する第１送信手段と、
前記符号化手段により所定符号化レートで圧縮符号化して得られる圧縮音声データを前記記憶手段に記憶させる第２録音制御手段と、
前記記憶手段に記憶されていて送信対象となる音声に対応する圧縮音声データの符号化レートと前記基地局から通知される符号化レートとが一致するか否かを判定する判定手段と、
この判定手段により両符号化レートの一致が判定された場合には前記記憶手段に記憶されていて送信対象となる音声に対応し、かつ前記基地局から通知される符号化レートで圧縮符号化されている圧縮音声データを前記基地局へと送信し、また前記判定手段により両符号化レートの不一致が判定された場合には前記記憶手段に記憶されていて送信対象となる音声に対応する圧縮音声データを前記復号手段により復号させ、さらにこれにより得られる音声データを前記基地局から指定される符号化レートで前記符号化手段に圧縮符号化させて得られる圧縮音声データを前記基地局へと送信する第２送信手段と、
指定された録音モードに応じて前記第１録音制御手段および前記第１送信手段、或いは前記第２録音制御手段および前記第２送信手段を有効とする録音モード制御手段とを具備した移動通信端末。
【請求項４】
ユーザによる符号化レートの指定を受け付けるレート受付手段を備え、
このレート受付手段により受け付けられた指定が示す符号化レートを前記所定符号化レートとする請求項２または請求項３に記載の移動通信端末。
【請求項５】
ユーザによる録音モードの指定を受け付けるモード受付手段を備え、
前記録音モード制御手段は、このモード受付手段により受け付けられた指定が録音モードとして第１モードを指定する場合には前記第１録音制御手段および前記第１送信手段を有効とし、また前記指定が録音モードとして第２モードを指定する場合には前記第２録音制御手段および前記第２送信手段を有効とする請求項３に記載の移動通信端末。
【請求項６】
前記所定符号化レートは１つのみとする請求項２または請求項３に記載の移動通信端末。
【請求項７】
音声データを複数の符号化レートで圧縮符号化又は復号する機能を備え、基地局を介して音声通信を行う移動通信端末において、
圧縮音声データを記憶する記憶手段と、
音声データを複数の符号化レートのうちの一つで圧縮符号化して圧縮音声データに変換する符号化手段と、
音声データから前記符号化手段により得られる圧縮音声データを前記記憶手段に記憶させる録音制御手段と、
前記記憶手段に記憶されていて送信対象となる音声に対応する圧縮音声データを前記圧縮符号化時の符号化レートで復号し、前記複数の符号化レートのうちで基地局から指定される符号化レートで再度圧縮符号化して圧縮音声データに変換し、この圧縮音声データを前記基地局へと送信する送信手段とを具備した移動通信端末。
【発明の詳細な説明】
【０００１】
【発明の属する技術分野】
本発明は、ディジタル携帯電話機などのような移動通信端末に関する。
【０００２】
【従来の技術】
携帯電話機は、例えばユーザの音声による留守番応答機能を実現するべく、任意の音声を録音しておき、この録音してある音声を必要に応じて通信網へと送信する機能が備えられている。
【０００３】
ディジタル方式の携帯電話機の場合、音声データは圧縮符号化により圧縮音声データとされて通信網を伝送される。このため音声を録音するためには、圧縮音声データをメモリに記憶することが一般的に行われている。
【０００４】
【発明が解決しようとする課題】
従来よりある携帯電話機の音声コーデックで用いられる音声符号化方式の符号化レートは基本的には固定で変わらない。このため、録音時の符号化レートと再生時の符号化レートは一致するのでメモリに記憶してある圧縮音声データをそのまま送信することができた。
【０００５】
しかしながら、Ｗ−ＣＤＭＡ方式のような次世代の通信方式では、ＡＭＲ（Ａｄａｐｔｉｖｅ　Ｍｕｌｔｉ　Ｒａｔｅ）方式のようなマルチレートの音声音声符号化方式が利用されるようになっている。
【０００６】
マルチレートの音声符号化方式を用いる通信方式の場合、符号化レートは通信網から任意に指定される。そして端末では、通信網から指定された符号化レートの圧縮音声データを通信網へと送信しなければならない。
【０００７】
このため、上記した従来の技術を適用した場合、メモリに記憶されている圧縮音声データの符号化レートと通信網から指定される符号化レートとが異なってしまう恐れがある。そしてこのような状況になったならば、メモリに記憶されている圧縮音声データの送信は行えない。
【０００８】
本発明はこのような事情を考慮してなされたものであり、その目的とするところは、マルチレートの音声符号化方式に対応していながら、録音音声の送信を行うことができる移動通信端末を提供することにある。
【０００９】
【課題を解決するための手段】
以上の目的を達成するために第１の本発明は、音声データを記憶する記憶手段と、音声データを複数の符号化レートでそれぞれ圧縮符号化することで複数の圧縮音声データに変換する符号化手段と、録音時に、録音対象となる音声データから前記符号化手段により得られる複数の圧縮音声データの全てを前記記憶手段に記憶させる録音制御手段と、録音済みの音声を前記通信網へと送信する際に、前記記憶手段に記憶されていて送信対象となる音声に対応する複数の圧縮音声データのうちで前記通信網から指定される符号化レートで圧縮符号化されている圧縮音声データを前記通信網へと送信する送信手段とを備えた。
【００１０】
このような手段を講じたことにより、録音時には、録音対象となる音声データを複数の符号化レートのそれぞれで圧縮符号化して得られる複数の圧縮音声データの全てが記憶手段に記憶される。そして、録音済みの音声を通信網へと送信する際には、記憶手段に記憶されている複数の圧縮音声データのうちで通信網から指定される符号化レートで圧縮符号化されている圧縮音声データが通信網へと送信される。従って、録音済みの音声を通信網へと送信する際に如何なる符号化レートが通信網から指定される場合でも、その指定された符号化レートの圧縮音声データを送信することができる。
【００１１】
前記目的を達成するために第２の本発明は、音声データを記憶する記憶手段と、音声データを複数の符号化レートでそれぞれ圧縮符号化することで複数の圧縮音声データに変換する符号化手段と、録音時に、録音対象となる音声データから所定符号化レートで前記符号化手段により圧縮符号化して得られる圧縮音声データを前記記憶手段に記憶させる録音制御手段と、前記圧縮音声データを前記音声データへと復号する復号手段と、録音済みの音声を通信網へと送信する際に、前記記憶手段に記憶されていて送信対象となる音声に対応する圧縮音声データの符号化レートと前記通信網から通知される符号化レートとが一致するか否かを判定する判定手段と、この判定手段により両符号化レートの一致が判定された場合には前記記憶手段に記憶されていて送信対象となる音声に対応し、かつ前記通信網から通知される符号化レートで圧縮符号化されている圧縮音声データを前記通信網へと送信し、また前記判定手段により両符号化レートの不一致が判定された場合には前記記憶手段に記憶されていて送信対象となる音声に対応する圧縮音声データを前記復号手段により復号させ、さらにこれにより得られる音声データを前記通信網から指定される符号化レートで前記符号化手段に圧縮符号化させて得られる圧縮音声データを前記通信網へと送信する送信手段とを備えた。
【００１２】
このような手段を講じたことにより、録音時には、録音対象となる音声データを所定符号化レートで圧縮符号化して得られる圧縮音声データのみが記憶手段に記憶される。そして録音済みの音声を通信網へと送信する際には、記憶手段に記憶されている圧縮音声データの符号化レートと通信網から通知される符号化レートとが一致するならば、記憶手段に記憶されている圧縮音声データが通信網へと送信される。記憶手段に記憶されている圧縮音声データの符号化レートと通信網から通知される符号化レートとが一致しないならば、記憶手段に記憶されていて圧縮音声データが復号されるとともに、さらにこれにより得られる音声データが通信網から指定される符号化レートで圧縮符号化されて得られる圧縮音声データが通信網へと送信される。従って、録音済みの音声を通信網へと送信する際に如何なる符号化レートが通信網から指定される場合でも、その指定された符号化レートの圧縮音声データを送信することができる。
【００１３】
【発明の実施の形態】
以下、図面を参照して本発明の実施形態につき説明する。
【００１４】
（第１の実施形態）
図１は本発明の第１実施形態に係る携帯電話機の構成を示すブロック図である。
図１に示すように第１実施形態の携帯電話機は、マイクロホン１、Ａ／Ｄ変換器２、音声符号化器３、チャネル符号化器４、インタリーバ５、変調部６、無線部７、アンテナ８、復調部９、デインタリーバ１０、チャネル復号器１１、音声復号器１２、Ｄ／Ａ変換器１３、スピーカ１４、録音用メモリ１５、音声バッファ１６、キー入力部１７、表示部１８および制御部１９を有してなる。
【００１５】
ユーザが発した声を含む周囲音をマイクロホン１により電気信号に変換してなる送話音声信号は、Ａ／Ｄ変換器２でディジタル化されることで音声データに変換される。音声データは、音声符号化器３で冗長成分を除去して低ビットレート化を図るための音声符号化処理が行われる。音声符号化器３が使用する符号化方式は例えばＡＭＲ方式などのようなマルチレートの方式であって、制御部１９により設定される符号化レートでの符号化処理を行う。そして、この音声符号化器３により得られる圧縮音声データは、チャネル符号化器４に入力され、ここで伝送誤り対策のための誤り検出・訂正符号化処理が行われる。このチャネル符号化器４による符号化された後の圧縮音声データは、次にインタリーバ５にてインタリーブ処理される。そして、このインタリーブされた圧縮音声データは、変調部６にてディジタル変調されたのち、無線部７でアップリンク用の無線周波信号に変換される。そして無線周波信号は、無線部７からアンテナ８へと供給され、図示しない基地局に向けて無線送信される。
【００１６】
一方、基地局から送信されたダウンリンク用の無線周波信号は、アンテナで受信されて無線部７に入力される。無線周波信号は無線部７にて、ベースバンドの受信信号に変換されたのち、復調部９でディジタル復調されることで圧縮音声データが再生される。ただし、この段階では圧縮音声データにはインタリーブとチャネル符号化がなされている。そこで圧縮音声データは、デインタリーバ１０にてデインタリーブされたのち、チャネル復号器１１にて、誤り訂正・検出符号の復号処理が行われる。さらに圧縮音声データは音声復号器１２にて、その符号化レートに応じた音声復号処理がなされ、これにより音声データが再生される。そして音声データは、Ｄ／Ａ変換器１３でアナログの受話音声信号とされ、スピーカより拡声される。
【００１７】
音声符号化器３およびチャネル復号器１１から出力される圧縮音声データは、それぞれ録音用メモリ１５へも与えられている。録音用メモリ１５は、制御部１９の制御の下にこれらの圧縮音声データを取り込んで記憶する。
【００１８】
Ａ／Ｄ変換器２から出力される音声データは、音声バッファ１６へも与えられている。音声バッファ１６は、制御部１９の制御の下にこの音声データを取り込んで、一時的に保持する。
【００１９】
キー入力部１７は、ユーザによるさまざまな指示を受け付けるための多数のキースイッチが設けられている。キー入力部１７は、これらのキースイッチの押下によるユーザ指示を入力し、入力内容を制御部１９に対して通知する。
【００２０】
表示部１８は、例えばＬＣＤを用いて構成される。表示部１８は、制御部１９の制御の下にユーザに提示するべき各種の画像を表示する。
【００２１】
制御部１９は、例えばプロセッサを主体としてなり、ソフトウェア処理により各部の制御処理を行うことで、携帯電話機としての動作を実現する。また制御部１９はソフトウェア処理を実行することで、例えば音声通話機能などのような携帯電話機における周知の一般的な機能を実現するための制御手段としての他に、第１録音制御手段１９ａおよび第１留守番応答手段１９ｂとして動作する。
【００２２】
第１録音制御手段１９ａは、留守番応答のための応答メッセージを録音するための処理を行う。また第１留守番応答手段１９ｂは、留守番応答のための音声送信処理を行う。
【００２３】
次に以上のように構成された携帯電話機の動作につき説明する。なお、音声通話機能などのような携帯電話機における一般的な機能を実現するための処理は従来と同様であるのでその説明は省略する。そしてここでは、留守番応答機能に関する動作につき詳細に説明する。
【００２４】
ユーザが留守番応答のための応答メッセージの録音を要求したならば、制御部１９は第１録音制御手段１９ａにより図２に示すような録音処理を実行する。
【００２５】
制御部１９はステップＳＴ１において、変数ｎを「１」に設定する。続いて制御部１９はステップＳＴ２において、音声符号化器３の符号化レートとして第１レートを設定する。なおここでは、音声符号化器３が対応している符号化レートを、高いものから順に第１レート、第２レート…と称する。かくしてここでは、音声符号化器３は最も高い符号化レートで符号化を行う状態に設定される。
【００２６】
この状態で制御部１９はステップＳＴ３において、ユーザにより録音開始の指示がなされるのを待ち受ける。例えばキー入力部１７での所定のキーの押下により録音開始が指示されたことを確認したならば、制御部１９はステップＳＴ４において、録音用メモリ１５および音声バッファ１６への書き込みを開始する。かくしてこの状態では、ユーザが録音したいメッセージをマイクロホン１に向けて喋ることで、そのメッセージを示す第１レートの圧縮音声データが録音用メモリ１５に記憶される。すなわち、ユーザが喋ったメッセージが応答メッセージとして録音用メモリ１５へと録音される。また上記のメッセージを示す音声データが音声バッファ１６に保持される。
【００２７】
このような録音状態で制御部１９はステップＳＴ５において、ユーザにより録音終了の指示がなされるのを待ち受ける。そして、例えばキー入力部１７での所定のキーの押下により録音終了が指示されたことを確認したならば、制御部１９はステップＳＴ６において、録音用メモリ１５および音声バッファ１６への書き込みを停止する。
【００２８】
続いて制御部１９はステップＳＴ７において、変数ｎの値を１つ増加する。そして、制御部１９はステップＳＴ８において、増加後の変数ｎが音声符号化器３が対応する符号化レートの種類数（レート数）を上回っているか否かを確認する。
【００２９】
ここで、変数ｎがレート数以下であるならば、制御部１９はステップＳＴ９において、音声符号化器３の符号化レートとして第ｎレートを設定する。変数ｎは１つ増加されているから、音声符号化器３がそれまでより１段階低い符号化レートで音声符号化を行う状態に変更されることになる。そしてこののちに制御部１９はステップＳＴ１０において、録音用メモリ１５への書き込みを開始するとともに、音声バッファ１６からの出力を開始する。
【００３０】
かくして、音声バッファ１６に保持されている音声データが、音声符号化器３により第ｎ符号化レートで音声符号化され、これにより得られる圧縮音声データが録音用メモリ１５に記憶される。すなわち、ユーザが喋った上記のメッセージを示し、これまでとは別の符号化レートの圧縮音声データが録音用メモリ１５に記憶される。すなわち、ユーザが喋ったメッセージが応答メッセージとして録音用メモリ１５へと符号化レートを変えて追加録音される。
【００３１】
この状態で制御部１９はステップＳＴ１１において、音声バッファ１６に保持されている全ての音声データの出力が終了するのを待ち受ける。そして出力が終了したことを確認したならば、制御部１９はステップＳＴ７以降の処理を繰り返す。すなわち、ステップＳＴ８にて変数ｎがレート数を上回っていることが確認できるまで、符号化レートを１段階ずつ低く変更しながら、その符号化レートでユーザが喋った上記のメッセージを音声符号化して得られる圧縮音声データが録音用メモリ１５に記憶される。
【００３２】
変数ｎがレート数を上回ったことをステップＳＴ８にて確認したならば、制御部１９は録音処理を終了する。
【００３３】
以上のように、全て同一のメッセージを示し、それぞれ符号化レートが異なる複数の圧縮音声データが録音用メモリ１５に記憶される。
【００３４】
さて、留守番モードが設定されている状態で着信が発生した際には、制御部１９は留守番応答手段１９ｂにより図３に示すような留守番応答処理を実行する。
【００３５】
制御部１９はステップＳＴ２１において、通信網から指定される符号化レート（指定レート）を判定する。そして制御部１９はステップＳＴ２２において、ステップＳＴ２１で判定した指定レートに対応する録音用メモリ１５からチャネル符号化器４への圧縮音声データの転送を開始する。この状態では、録音用メモリ１５からチャネル符号化器４へと転送された圧縮音声データが通信網へと送信されることになる。
【００３６】
この状態で制御部１９はステップＳＴ２３およびステップＳＴ２４において、符号化レートの変更が通信網より指定されるか、あるいは圧縮音声データの転送が終了するのを待ち受ける。ここで、符号化レートの変更が指定されたならば、制御部１９はステップＳＴ２５において、録音用メモリ１５からチャネル符号化器４への転送の対象とする圧縮音声データを変更後の符号化レートに応じたものに変更する。こののち制御部１９は、ステップＳＴ２３およびステップＳＴ２４の待ち受け状態に戻る。
【００３７】
圧縮音声データの転送が終了したことをステップＳＴ２４にて確認したならば、制御部１９は留守番応答処理を終了する。
【００３８】
かくしてこの第１実施形態によれば、応答メッセージの録音時には、まず図４に符号Ｒ１を付して示すような流れにより、Ａ／Ｄ変換器２から出力されるリアルタイムの音声データが、音声符号化器３で第１レートで音声符号化され、これにより得られた第１レートの圧縮音声データＤ１が録音用メモリ１５に記憶される。このとき、Ａ／Ｄ変換器２から出力される音声データは、符号Ｓを付して示すような流れにより音声バッファ１６に保持される。
【００３９】
以降、符号Ｒ２，Ｒ３，Ｒ４に示すように、音声バッファ１６に保持しておいた音声データが、音声符号化器３で第２、第３および第４レートで順次音声符号化され、これにより得られた第２、第３および第４レートの圧縮音声データＤ２，Ｄ３，Ｄ４が録音用メモリ１５にそれぞれ記憶される。
【００４０】
このようにして、録音用メモリ１５には音声符号化器３が対応する全ての符号化レートのそれぞれの圧縮音声データが全て記憶されることになる。なお図４では、レート数が「４」である例を示している。
【００４１】
そして、留守番応答の際には、通信網から第１レートが指定されているならば、符号Ｐ１で示すように、第１レートの圧縮音声データＤ１が送信される。通信網から第２レートが指定されているならば、符号Ｐ２で示すように、第２レートの圧縮音声データＤ２が送信される。通信網から第３レートが指定されているならば、符号Ｐ３で示すように、第３レートの圧縮音声データＤ３が送信される。通信網から第４レートが指定されているならば、符号Ｐ４で示すように、第４レートの圧縮音声データＤ４が送信される。
【００４２】
従って第１実施形態によれば、いかなる符号化レートが指定される場合でも応答メッセージの送信を行うことが可能であり、マルチレートの通信方式で留守番応答を実現することが可能となる。
【００４３】
（第２の実施形態）
図５は本発明の第２実施形態に係る携帯電話機の構成を示すブロック図である。なお、図５において図１と同一の部分には同一符号を付し、その詳細な説明は省略する。
【００４４】
図５に示すように第２実施形態の携帯電話機は、マイクロホン１、Ａ／Ｄ変換器２、音声符号化器３、チャネル符号化器４、インタリーバ５、変調部６、無線部７、アンテナ８、復調部９、デインタリーバ１０、チャネル復号器１１、音声復号器１２、Ｄ／Ａ変換器１３、スピーカ１４、録音用メモリ１５、キー入力部１７、表示部１８、セレクタ２０，２１および制御部２２を有してなる。
【００４５】
すなわちこの第２実施形態の携帯電話機は、前述の第１実施形態の携帯電話機における音声バッファ１６を除くとともに、セレクタ２０，２１を新たに設け、さらに制御部１９に代えて制御部２２を設けてなる。
【００４６】
セレクタ２０へは、音声復号器１２から出力される音声データが入力される。セレクタ２０は制御部２２の制御の下に、入力される音声データをＤ／Ａ変換器１３およびセレクタ２１のいずれかに与える。
【００４７】
セレクタ２１へは、Ａ／Ｄ変換器２から出力される音声データと、セレクタ２０の出力とが入力されている。セレクタ２１は制御部２２の制御の下に、これらの２つの入力のいずれかを音声符号化器３へと与える。
【００４８】
制御部２２は、例えばプロセッサを主体としてなり、ソフトウェア処理により各部の制御処理を行うことで、携帯電話機としての動作を実現する。また制御部２２はソフトウェア処理を実行することで、例えば音声通話機能などのような携帯電話機における周知の一般的な機能を実現するための制御手段としての他に、第２録音制御手段２２ａ、録音レート受付手段２２ｂ、第２留守番応答手段２２ｃおよび再生方法判定手段２２ｄとして動作する。
【００４９】
第２録音制御手段２２ａは、留守番応答のための応答メッセージを録音するための処理を行う。録音レート受付手段２２ｂは、第２録音制御手段２２ａが応答メッセージの録音のために録音用メモリ１５へと書き込む圧縮音声データの符号化レートに関するユーザ指定を受け付ける。第２留守番応答手段２２ｃは、留守番応答のための音声送信処理を行う。そして再生方法判定手段２２ｄは、第２留守番応答手段２２ｃが留守番応答のために送信する圧縮音声データの再生方法を判定する。
【００５０】
次に以上のように構成された携帯電話機の動作につき説明する。なお、音声通話機能などのような携帯電話機における一般的な機能を実現するための処理は従来と同様であるのでその説明は省略する。そしてここでは、留守番応答機能に関する動作につき詳細に説明する。
【００５１】
ユーザが留守番応答のための応答メッセージの録音を要求したならば、制御部２２は第２録音制御手段２２ａおよび録音レート受付手段２２ｂにより図６に示すような録音処理を実行する。
【００５２】
制御部２２はステップＳＴ３１において、応答メッセージの録音のために録音用メモリ１５へと書き込む圧縮音声データの符号化レートのユーザ指定を受け付ける。そして制御部２２はステップＳＴ３２において、上記指定された符号化レートを音声符号化器３に設定する。かくして、音声符号化器３はユーザにより指定された符号化レートで符号化を行う状態に設定される。
【００５３】
この状態で制御部２２はステップＳＴ３３において、ユーザにより録音開始の指示がなされるのを待ち受ける。例えばキー入力部１７での所定のキーの押下により録音開始が指示されたことを確認したならば、制御部２２はステップＳＴ３４において、録音用メモリ１５への書き込みを開始する。かくしてこの状態では、ユーザが録音したいメッセージをマイクロホン１に向けて喋ることで、そのメッセージを示すユーザ指定の符号化レートの圧縮音声データが録音用メモリ１５に記憶される。すなわち、ユーザが喋ったメッセージが応答メッセージとして録音用メモリ１５へと録音される。
【００５４】
このような録音状態で制御部２２はステップＳＴ３５において、ユーザにより録音終了の指示がなされるのを待ち受ける。そして、例えばキー入力部１７での所定のキーの押下により録音終了が指示されたことを確認したならば、制御部２２はステップＳＴ３６において、録音用メモリ１５への書き込みを停止する。そしてこれをもって、制御部２２は録音処理を終了する。
【００５５】
以上のように、ユーザが喋った応答メッセージを示し、ユーザにより指定された符号化レートの圧縮音声データが１つのみ録音用メモリ１５に記憶される。
【００５６】
さて、留守番モードが設定されている状態で着信が発生した際には、制御部２２は第２留守番応答手段２２ｃおよび再生方法判定手段２２ｄにより図７に示すような留守番応答処理を実行する。
【００５７】
制御部２２はステップＳＴ４１において、通信網から指定される符号化レート（指定レート）を判定する。そして制御部２２はステップＳＴ４２において、判定した指定レートを音声符号化器３に設定する。また制御部２２はステップＳＴ４３において、録音用メモリ１５に記憶されている圧縮音声データの符号化レート（保存レート）を音声復号器１２に設定する。さらに制御部２２は、セレクタ２０およびセレクタ２１を、お互いを選択する側にセットする。これにより、音声復号器１２で再生された音声データが音声符号化器３へと戻されるループが形成される。
【００５８】
このように各部の状態をセットしたのちに、制御部２２はステップＳＴ４５において、ステップＳＴ４１で判定した指定レートと、録音用メモリ１５に記憶されている圧縮音声データの符号化レートとが一致するか否かを確認する。
【００５９】
もし両レートが一致するのであれば、制御部２２はステップＳＴ４６において、録音用メモリ１５からチャネル符号化器４への圧縮音声データの転送を開始する。この状態では、録音用メモリ１５からチャネル符号化器４へと転送された圧縮音声データが通信網へと送信されることになり、応答メッセージの再生が行われる。
【００６０】
しかしながら、両レートが一致しないことをステップＳＴ４５にて確認したならば、制御部２２はステップＳＴ４７において、録音用メモリ１５から音声復号器１２への圧縮音声データの転送を開始する。この状態では、録音用メモリ１５から出力される圧縮音声データは、音声復号器１２で一旦復号される。そしてこれにより得られた音声データは、セレクタ２０およびセレクタ２１を介して音声符号化器３に与えられ、指定レートで再度の音声符号化がなされる。これにより音声符号化器３で得られた指定レートの圧縮音声データが通信網へと送信されることになる。
【００６１】
ステップＳＴ４７またはステップＳＴ４６にて圧縮音声データの転送を開始したのちに、制御部２２はステップＳＴ４８およびステップＳＴ４９において、符号化レートの変更が通信網より指定されるか、あるいは圧縮音声データの転送が終了するのを待ち受ける。ここで、符号化レートの変更が指定されたならば、制御部２２はステップＳＴ５０において、新たな指定レートと、録音用メモリ１５に記憶されている圧縮音声データの符号化レートとが一致するか否かを確認する。
【００６２】
もし、両レートが一致することを確認したならば、制御部２２はステップＳＴ５１において、録音用メモリ１５からの圧縮音声データの転送先をチャネル符号化器４に変更する。そしてこののちに制御部２２は、ステップＳＴ４８およびステップＳＴ４９の待ち受け状態に戻る。
【００６３】
しかしながら、両レートが一致しないことをステップＳＴ５０にて確認したならば、制御部２２はステップＳＴ５２において、新たな指定レートを音声符号化器３に設定する。さらに制御部２２はステップＳＴ５３において、録音用メモリ１５からの圧縮音声データの転送先を音声復号器１２とする。そしてこののちに制御部２２は、ステップＳＴ４８およびステップＳＴ４９の待ち受け状態に戻る。
【００６４】
圧縮音声データの転送が終了したことをステップＳＴ４９にて確認したならば、制御部２２は留守番応答処理を終了する。
【００６５】
かくしてこの第２実施形態によれば、応答メッセージの録音時には、まず図８に符号Ｒ１１を付して示すような流れにより、Ａ／Ｄ変換器２から出力されるリアルタイムの音声データが、音声符号化器３でユーザが指定する符号化レートで音声符号化され、これにより得られた圧縮音声データＤ１１が録音用メモリ１５に記憶される。
【００６６】
このようにして、録音用メモリ１５にはユーザが指定した符号化レートの圧縮音声データのみが記憶されることになる。
【００６７】
そして、留守番応答の際には、通信網から指定される符号化レートと圧縮音声データＤ１１の符号化レートとが同一であるならば、符号Ｐ１１で示すように、録音用メモリ１５に記憶された圧縮音声データＤ１１がそのまま送信される。
【００６８】
しかしながら、通信網から指定される符号化レートと圧縮音声データＤ１１の符号化レートとが同一ではないならば、符号Ｐ１２で示すように、録音用メモリ１５に記憶された圧縮音声データが音声復号器１２で一旦復号されたのち、音声符号化器３により指定レートで音声符号化された上で送信される。
【００６９】
従って第２実施形態によれば、いかなる符号化レートが指定される場合でも応答メッセージの送信を行うことが可能であり、マルチレートの通信方式で留守番応答を実現することが可能となる。
【００７０】
しかも第２実施形態によれば、録音用メモリ１５には１つの符号化レートの圧縮音声データＤ１１のみを格納するので、録音用メモリ１５の容量を有効に利用することが可能である。
【００７１】
また第２実施形態によれば、圧縮音声データＤ１１の符号化レートはユーザの指定に従う。従って、圧縮音声データＤ１１の符号化レートを低くして圧縮音声データＤ１１による録音用メモリ１５の容量消費を小さく抑えたり、あるいは圧縮音声データＤ１１の符号化レートを高くして高音質な応答メッセージの再生を可能とするといった様々な運用状態をユーザニーズに応じて柔軟にとることが可能となる。
【００７２】
（第３の実施形態）
図９は本発明の第３実施形態に係る携帯電話機の構成を示すブロック図である。なお、図９において図１および図５と同一の部分には同一符号を付し、その詳細な説明は省略する。
【００７３】
図９に示すように第３実施形態の携帯電話機は、マイクロホン１、Ａ／Ｄ変換器２、音声符号化器３、チャネル符号化器４、インタリーバ５、変調部６、無線部７、アンテナ８、復調部９、デインタリーバ１０、チャネル復号器１１、音声復号器１２、Ｄ／Ａ変換器１３、スピーカ１４、録音用メモリ１５、音声バッファ１６、キー入力部１７、表示部１８、セレクタ２０，２１および制御部２２を有してなる。
【００７４】
すなわちこの第３実施形態の携帯電話機は、前述の第１実施形態の携帯電話機に加えて、前述の第２実施形態と同様にセレクタ２０，２１を新たに設けるとともに、制御部１９に代えて制御部２３を設けてなる。
【００７５】
制御部２３は、例えばプロセッサを主体としてなり、ソフトウェア処理により各部の制御処理を行うことで、携帯電話機としての動作を実現する。また制御部２３はソフトウェア処理を実行することで、例えば音声通話機能などのような携帯電話機における周知の一般的な機能を実現するための制御手段としての他に、第１録音制御手段１９ａ、第１留守番応答手段１９ｂ、第２録音制御手段２２ａ、録音レート受付手段２２ｂ、第２留守番応答手段２２ｃ、再生方法判定手段２２ｄ、録音モード制御手段２３ａおよび録音モード受付手段２３ｂとして動作する。
【００７６】
すなわち制御部２３は、第１実施形態における制御部１９および第２実施形態における制御部２２が有する機能をそれぞれ備えるとともに、さらに録音モード制御手段２３ａおよび録音モード受付手段２３ｂが追加されている。
【００７７】
録音モード制御手段２３ａは、ユーザにより指定された録音モードに応じた録音処理および留守番応答処理を行うべく制御を行う。また録音モード受付手段２３ｂは、応答メッセージの録音時に、第１モードおよび第２モードのいずれの録音モードを使用するかのユーザの指定を受け付ける。
【００７８】
次に以上のように構成された携帯電話機の動作につき説明する。なお、音声通話機能などのような携帯電話機における一般的な機能を実現するための処理は従来と同様であるのでその説明は省略する。そしてここでは、留守番応答機能に関する動作につき詳細に説明する。
【００７９】
ユーザが留守番応答のための応答メッセージの録音を要求したならば、制御部２３は録音モード制御手段２３ａおよび録音モード受付手段２３ｂにより図１０に示すような録音制御を実行する。
【００８０】
制御部２３はステップＳＴ６１において、録音モードのユーザ指定を受け付ける。そして制御部２３はステップＳＴ６２において、上記指定された録音モードが第１モードであるか否かを確認する。
【００８１】
ここで第１モードがユーザにより指定されたことを確認したならば、制御部２３はステップＳＴ６３において録音モードとして第１モードを設定する。この上で制御部２３はステップＳＴ６４において、第１録音処理を実行する。第１録音処理は、前述の第１実施形態における録音処理であり、第１録音制御手段１９ａによりなされる。そしてこの第１録音処理が完了したならば、制御部２３は録音制御を終了する。
【００８２】
これに対して、ユーザにより指定されたのが第１モードではないことをステップＳＴ６２で確認したならば、制御部２３はステップＳＴ６５において録音モードとして第２モードを設定する。この上で制御部２３はステップＳＴ６６において、第２録音処理を実行する。第２録音処理は、前述の第２実施形態における録音処理であり、第２録音制御手段２２ａおよび録音レート受付手段２２によりなされる。そしてこの第２録音処理が完了したならば、制御部２３は録音制御を終了する。
【００８３】
さて、留守番モードが設定されている状態で着信が発生した際には、制御部２３は録音モード制御手段２３ａにより図１１に示すような留守番応答処理を実行する。
【００８４】
制御部２３はステップＳＴ７１において、録音モードとして第１モードが設定されているか否かを確認する。そして第１モードが設定されていることを確認したならば、制御部２３はステップＳＴ７２において、第１留守番応答処理を実行する。この第１留守番応答処理は、前述の第１実施形態における留守番応答処理であり、第１留守番応答手段１９ｂによりなされる。そしてこの第１留守番応答処理が完了したならば、制御部２３は留守番応答制御を終了する。
【００８５】
これに対して、設定されているのが第１モードではないことをステップＳＴ７１にて確認したならば、制御部２３はステップＳＴ７３において、第２留守番応答処理を実行する。この第２留守番応答処理は、前述の第２実施形態における留守番応答処理であり、第２留守番応答手段２２ｃおよび再生方法判定手段２２ｄによりなされる。そしてこの第２留守番応答処理が完了したならば、制御部２３は留守番応答制御を終了する。
【００８６】
以上のように第３実施形態によれば、前述の第１実施形態および第２実施形態の両形態がユーザの指定に応じて選択され、その選択された形態で留守番電話機能が実行される。従って、ユーザは２つの形態の留守番電話機能を任意に選んで使用することが可能である。例えば、第２実施形態では、記憶しておく圧縮音声データの量が第１実施形態よりも小さくなるので、録音用メモリ１５の有効利用を図ることができる。そこで、録音用メモリ１５の有効利用を図ることを重視するユーザは、第２モードを指定することで上記の要件を満たすことができる。逆に第２実施形態では、復号や符号化が繰り返し行われることから、第１実施形態に比べて音声品質が低下してしまう。また第２実施形態では、留守番応答の際に音声復号器１２および音声符号化器３を動作させる必要があるために、第１実施形態に比べて電力消費が大きくなる。そこで、応答メッセージの品質やバッテリの持続時間を重視するユーザは、第１モードを指定することで上記の要件を満たすことができる。
【００８７】
すなわちこの第３実施形態によれば、ユーザニーズに応じて柔軟な運用が可能となる。
【００８８】
なお、本発明は前記各実施形態に限定されるものではない。例えば、第２実施形態では、録音の際の音声符号化の符号化レートはユーザの指定を受けるようにはせず固定としても良い。
【００８９】
また第２実施形態では、録音用メモリ１５に複数の符号化レートの圧縮音声データを記憶することとしても良い。
【００９０】
また、録音用メモリ１５に記憶してある圧縮音声データの送信は、留守番応答のためには限らず、任意の目的であって良い。従って、録音メモリ１５に記憶しておく圧縮音声データも応答メッセージを示すものには限らず、その内容は任意であって良い。
【００９１】
また本発明は、携帯電話機とは異なる種類の移動通信端末にも適用が可能である。
【００９２】
このほか、本発明の要旨を逸脱しない範囲で種々の変形実施が可能である。
【００９３】
【発明の効果】
第１の本発明によれば、録音時には、録音対象となる音声データを複数の符号化レートのそれぞれで圧縮符号化して得られる複数の圧縮音声データの全てを記憶手段に記憶させる。そして、録音済みの音声を通信網へと送信する際には、記憶手段に記憶されている複数の圧縮音声データのうちで通信網から指定される符号化レートで圧縮符号化されている圧縮音声データを通信網へと送信する。従って、録音済みの音声を通信網へと送信する際に如何なる符号化レートが通信網から指定される場合でも、その指定された符号化レートの圧縮音声データを送信することができ、この結果、マルチレートの音声符号化方式に対応していながら、録音音声の送信を行うことができる移動通信端末となる。
【００９４】
第２の本発明によれば、録音時には、録音対象となる音声データを所定符号化レートで圧縮符号化して得られる圧縮音声データのみを記憶手段に記憶する。そして録音済みの音声を通信網へと送信する際には、記憶手段に記憶されている圧縮音声データの符号化レートと通信網から通知される符号化レートとが一致するならば、記憶手段に記憶されている圧縮音声データを通信網へと送信する。記憶手段に記憶されている圧縮音声データの符号化レートと通信網から通知される符号化レートとが一致しないならば、記憶手段に記憶されていて圧縮音声データを復号するとともに、さらにこれにより得られる音声データを通信網から指定される符号化レートで圧縮符号化して得られる圧縮音声データを通信網へと送信する。従って、録音済みの音声を通信網へと送信する際に如何なる符号化レートが通信網から指定される場合でも、その指定された符号化レートの圧縮音声データを送信することができ、この結果、マルチレートの音声符号化方式に対応していながら、録音音声の送信を行うことができる移動通信端末となる。
【図面の簡単な説明】
【図１】本発明の第１実施形態に係る携帯電話機の構成を示すブロック図。
【図２】本発明の第１実施形態における録音処理のフローチャート。
【図３】本発明の第１実施形態における留守番応答処理のフローチャート。
【図４】本発明の第１実施形態におけるデータの流れを模式的に示す図。
【図５】本発明の第２実施形態に係る携帯電話機の構成を示すブロック図。
【図６】本発明の第２実施形態における録音処理のフローチャート。
【図７】本発明の第２実施形態における留守番応答処理のフローチャート。
【図８】本発明の第２実施形態におけるデータの流れを模式的に示す図。
【図９】本発明の第３実施形態に係る携帯電話機の構成を示すブロック図。
【図１０】本発明の第３実施形態における録音制御のフローチャート。
【図１１】本発明の第２実施形態における留守番応答制御のフローチャート。
【符号の説明】
１…マイクロホン
２…Ａ／Ｄ変換器
３…音声符号化器
４…チャネル符号化器
５…インタリーバ
６…変調部
７…無線部
８…アンテナ
９…復調部
１０…デインタリーバ
１１…チャネル復号器
１２…音声復号器
１３…Ｄ／Ａ変換器
１４…スピーカ
１５…録音用メモリ
１６…音声バッファ
１７…キー入力部
１８…表示部
１９，２２，２３…制御部
１９ａ…第１録音制御手段
１９ｂ…第１留守番応答手段
２２ａ…録音制御手段
２２ｂ…録音レート受付手段
２２ｃ…留守番応答手段
２２ｄ…再生方法判定手段
２３ａ…録音モード制御手段
２３ｂ…録音モード受付手段
２０，２１…セレクタ
【図１】
2004120431.tif 000003
【図２】
2004120431.tif 000004
【図３】
2004120431.tif 000005
【図４】
2004120431.tif 000006
【図５】
2004120431.tif 000007
【図６】
2004120431.tif 000008
【図７】
2004120431.tif 000009
【図８】
2004120431.tif 000010
【図９】
2004120431.tif 000011
【図１０】
2004120431.tif 000012
【図１１】
2004120431.tif 000013